(57)【要約】      （修正有）【課題】デザイン性や染色性にすぐれ、長さ方向に伸縮することが可能なベルトを提供する。【解決手段】帯状の弾性体２０と、帯状部材１０を具備する。帯状の弾性体２０は長さ方向（Ｘ軸方向）に伸長するように構成される。帯状部材１０は弾性体２０を被覆し、人造皮革により構成される。帯状部材１０は長さ方向に平行な少なくとも１本の折り線（折り線１２ａ、１２ｂ）に沿って折り畳まれることで形成される内部空間に弾性体２０を収容した状態で幅方向（Ｙ軸方向）の縁辺部１１ａ、１１ｂが弾性体２０と共に縫合される。これにより帯状部材１０は長さ方向に弾性体２０と連動して伸長する。【選択図】図２
0003224819.tif 000002
【実用新案登録請求の範囲】
【請求項１】
長さ方向に伸長する帯状の弾性体と、
前記弾性体を被覆し、人造皮革により構成される帯状部材を具備し、
前記帯状部材は、
前記長さ方向に平行な少なくとも１本の折り線に沿って折り畳まれることで形成される内部空間に前記弾性体を収容した状態で幅方向の縁辺部が前記弾性体と共に縫合されることで、前記長さ方向に前記弾性体と連動して伸長する
ベルト。
【請求項２】
請求項１に記載のベルトであって、
前記帯状部材の前記幅方向の縁辺部は、前記長さ方向に対して交差する縫い方向を有する縫い方により縫合される
ベルト。
【請求項３】
請求項２に記載のベルトであって、
前記縫い方がジグザグステッチである
ベルト。
【考案の詳細な説明】
【技術分野】
【０００１】
本考案は、装身用あるいは服飾用のベルトに関する。
【背景技術】
【０００２】
一般的な装身具であるベルトにおいては、ベルトをユーザの腹部にフィットさせるために、ベルトに複数の孔を設け、これにバックルのピンを通してベルトをバックルに掛止させる。これに対して、ベルトを主に構成する主材をゴムで構成することにより、よりフィット感を増すことも考案されている。特許文献１はゴムベルトの一例である。
【先行技術文献】
【特許文献】
【０００３】
【特許文献１】実用新案登録第３１３８５９９号公報
【考案の概要】
【考案が解決しようとする課題】
【０００４】
しかし、特許文献１に記載の、主材をゴムで構成したベルトは、デザインや染色の面で不利である。装身用あるいは服飾用のベルトの技術分野においては、自由な色やデザインを可能にする伸縮可能なベルトの提供が求められている。
【０００５】
以上のような事情に鑑み、本考案の目的は、デザイン性や染色性にすぐれ、長さ方向に伸縮することが可能なベルトを提供することにある。
【課題を解決するための手段】
【０００６】
本考案の一実施形態に係るベルトは、帯状の弾性体と、帯状部材とを具備する。
上記帯状の弾性体は、長さ方向に伸長するように構成される。
上記帯状部材は、上記弾性体を被覆し、人造皮革により構成される。
さらに上記帯状部材は、上記長さ方向に平行な少なくとも１本の折り線に沿って折り畳まれることで形成される内部空間に上記弾性体を収容した状態で幅方向の縁辺部が上記弾性体と共に縫合されることで、上記長さ方向に前記弾性体と連動して伸長する。
【０００７】
このように、上記実施形態に係るベルトは、上記帯状部材が内部空間に弾性体を収容した状態で弾性体と共に縫合され、長さ方向に弾性体と連動して伸長するように構成されるため、ベルト全体が長さ方向に伸縮することが可能になる。また、上記弾性体を被覆する上記帯状部材が人造皮革により構成されるため、天然皮革と同様の外観を有しながらも安価でデザイン性や染色性にすぐれたものとすることができる。また、人造皮革のみでベルトを構成する場合に比べて、弾性体を収容することで、耐久性と伸縮性を高めることができる。また、上記帯状部材と上記弾性体は、縫合されることにより物理的に掛止されるため、本考案に係るベルトによれば、ベルトの強度を高めることができる。
【０００８】
上記帯状部材の上記幅方向の縁辺部は、上記長さ方向に対して交差する縫い方向を有する縫い方により縫合されてもよい。この場合、その縫い方は、例えばジグザグステッチであってもよい。
【０００９】
このように、上記長さ方向、つまりベルトが主に伸長する方向に対して交差する縫い方向を有する縫い方で上記縁辺部が縫い合わされるよう構成することで、ベルトの伸長の際に長さ方向と縫い方向の交差角を小さくすることができ、縫合される箇所全体の長さをベルトの伸長に合わせて伸ばすことができる。従来技術では、ベルトの使用による劣化や伸び癖の結果、帯状部材が恒常的に伸びることとなったとき、縫合に用いた糸が、帯状部材の引っ張りにより切断されてしまうことがあった。上述のように構成する本考案の実施形態によれば、糸により縫い合わせられた箇所全体の長さをベルトの伸長に合わせて伸ばすことができるため、糸が切断されないようにすることができる。
【考案の効果】
【００１０】
本考案によれば、デザイン性や染色性にすぐれ、長さ方向に伸縮することが可能なベルトを提供することができる。
【図面の簡単な説明】
【００１１】
【図１】本実施形態に係るベルトを示しており、（ａ）は正面図、（ｂ）は平面図である。
【図２】分解した帯状部の構成を示しており、（ａ）は正面図、（ｂ）は平面図である。
【図３】帯状部の外観構成を示す正面図である。
【図４】帯状部の内部構成を示す断面図である。
【図５】異なる実施形態における帯状部の外観構成を示す正面図である。
【考案を実施するための形態】
【００１２】
以下、図面を参照しながら、本考案の実施形態を説明する。
［ベルトの全体構成］
図１（ａ），（ｂ）は本実施形態に係るベルト１００の展開状態を示しており、（ａ）は正面図、（ｂ）は平面図である。以下の図において、Ｘ、Ｙ及びＺ軸は相互に直交する３軸方向であり、本実施形態では、Ｘ軸方向は、ベルト１００の長さ方向、Ｙ軸方向は、ベルト１００の幅方向、Ｚ軸方向は、ベルト１００の厚み方向をそれぞれ示している。
【００１３】
これらの図に示すように、ベルト１００は、第１の帯状部１０ａと、第２の帯状部１０ｂと、長さ調節用部材４１と、環状部材４２とを有する。
【００１４】
第１の帯状部１０ａは、長さ方向の端部に別の部材で構成された第１の折り返し部５１が取り付けられている。第１の帯状部１０ａと第１の折り返し部５１は、第１のボタン５２により留められている。
第２の帯状部１０ｂは、長さ方向の端部がループ状に構成され、第２の折り返し部５３を構成している。第２の折り返し部５３のループは、第２のボタン５４により留められている。
【００１５】
ベルト１００を使用するときは、使用者は、第１のボタン５２を外し、ズボンの左のベルトループに第１の折り返し部５１を通した上で第１のボタン５２を留めて、第１の折り返し部５１をベルトループに取り付ける。同様に第２のボタン５４を外し、ズボンの右のベルトループに第２の折り返し部５３を通した上で第２のボタン５４を留めて、第２の折り返し部５３をベルトループに取り付ける。このようにして本実施形態にかかるベルト１００によれば、ユーザの腹部に適切な度合いの締め付けをもたらすことができる。なお、このように本実施形態にかかるベルト１００は、バックルを使用しないでもベルトとしての機能を果たすが、他の使用例においてはバックルを使用してもよい。この場合、ベルト１００のバックル（不図示）は、ループ状に形成された第１の折り返し部５１と第２の折り返し部５３に取り付けられる。
【００１６】
長さ調節用部材４１と環状部材４２は、例えば、ステンレス鋼やアルミニウム合金、チタン合金、ニッケル合金等の金属材料で構成される。長さ調節用部材４１と環状部材４２は、例えば、ガラス、セラミック、プラスチック、アクリル等の合成樹脂材料あるいは木材等からなるものであってもよい。第１のボタン５２と第２のボタン５４についても同様に、種々の素材により構成されてよい。
【００１７】
第１の帯状部１０ａと第２の帯状部１０ｂは、糸３０によりジグザグステッチで縫われている。本実施形態では、第１の帯状部１０ａと第２の帯状部１０ｂが同様の構成であるため、以下、帯状部１０ｘと総称することとする。
【００１８】
［帯状部の構成］
図２は分解した帯状部１０ｘの構成を示しており、（ａ）は正面図、（ｂ）は平面図である。これらの図に示すように、帯状部１０ｘは、帯状部材１０と、帯状の弾性体２０を有する。
【００１９】
帯状部材１０は、可撓性を有するマイクロファイバー布地（不織布）にストレッチポリウレタン等の合成樹脂を塗布した伸縮性を有する人工皮革により構成される。ストレッチポリウレタンの代わりに、例えばポリ塩化ビニル等の合成樹脂が用いられてもよいし、人工皮革の代わりに、天然の布地を基材として合成樹脂を塗布した合成皮革が用いられてもよい。すなわち帯状部材１０は人造皮革で構成される。帯状部材１０の表面はシャーリング（皺寄せ）加工などの種々の表面加工が施されていてもよい。帯状部材１０には、ベルト１００の厚み方向（Ｚ軸方向）に弾性体２０が載置されている。
【００２０】
弾性体２０は、帯状部材１０同様に長さ方向に長い帯状の形状をしており、長さ方向に伸長するように構成されている。弾性体２０は、例えば、天然ゴムや人工ゴムといった素材で構成される。
【００２１】
帯状部材１０は、第１の折り線１２ａと第２の折り線１２ｂに沿って折り畳まれる。その結果、帯状部材１０は、弾性体２０を内部に折り込む。第１の折り線１２ａと第２の折り線１２ｂは、ベルト１００の長さ方向（Ｘ軸方向）に平行である。
【００２２】
帯状部材１０は、ベルト１００の幅方向（Ｙ軸方向）に縁辺部１１がある。第１の縁辺部１１ａと第２の縁辺部１１ｂは、帯状部材１０が第１の折り線１２ａと第２の折り線１２ｂに沿って折り畳まれることによって、帯状部材１０の長さ方向の中心軸近傍で重なる。後述するように、第１の縁辺部１１ａと第２の縁辺部１１ｂは、糸３０により縫い合わせられる。
【００２３】
なお、糸３０による縫合に加えて、帯状部材１０と弾性体２０の間に接着層が設けられて、接着剤により化学的に接合されてもよい。
【００２４】
上記のように、帯状部材１０は、人造皮革により構成されると共に、長さ方向（Ｘ軸方向）で弾性体２０と連動して伸長するように構成される。これにより、ベルト１００は、長さ方向に伸縮することが可能になり、天然皮革と同様の外観を有しながらも安価でデザイン性や染色性にすぐれたものとすることができる。
【００２５】
図３は帯状部１０ｘの外観構成を示す正面図である。図に示すように、帯状部１０ｘは、弾性体２０を被覆する帯状部材１０が折り畳まれて構成されており、帯状部材１０の幅方向の縁辺部１１が糸３０により縫い合わされている。
【００２６】
本実施形態では、縁辺部１１の縫い合わせは、ジグザグステッチが用いられている。ジグザグステッチは、縫い方向として、ベルト１００の長さ方向（Ｘ軸方向）に対して交差する方向である第１の方向ＡＲ１と第２の方向ＡＲ２を有する。
【００２７】
このように、本実施形態では縫い方向が長さ方向、つまりベルト１００が主に伸長する方向に対して交差するように構成されているため、ベルト１００が長さ方向に伸長する際には長さ方向と縫い方向の交差角が小さくなるようにすることができる。このため、糸３０により縫い合わせられた箇所全体の長さをベルトの伸長に合わせて伸ばすことができる。
【００２８】
この場合、従来技術では、ベルトの使用による劣化や伸び癖の結果、帯状部材が恒常的に伸びることとなったとき、縫合に用いた糸が、帯状部材の引っ張りにより切断されてしまうことがあった。しかしながら、縫い方向が長さ方向に対して交差するように構成する本実施形態によれば、糸３０により縫い合わせられた箇所全体の長さをベルト１００の伸長に合わせて伸ばすことができる。そのため、ベルト１００の伸長により糸３０が切断されないようにすることができる。
【００２９】
図４は帯状部の内部構成を示す断面図である。図に示すように、帯状部材１０が折り畳まれた結果、帯状部１０ｘは、帯状部材１０の層、弾性体２０の層、帯状部材１０の層がこの順で積層された構成である。
【００３０】
本実施形態では、糸３０がこれら各層を貫通して、帯状部材１０を弾性体２０に縫い付けている。これにより弾性体２０を帯状部材１０に繋ぎとめることができる。これにより、糸３０は、帯状部材１０と弾性体２０を物理的に掛止することができ、ベルト１００の強度を増加させることができる。なお、これに加え、帯状部材１０と弾性体２０の間を接着剤により、化学的に接合させてもよい。
【００３１】
ベルト１００が長さ方向に引っ張られることによって弾性体２０が長さ方向に伸長する際、このように帯状部材１０が弾性体２０に繋ぎとめられているため、帯状部材１０は弾性体２０の長さ方向の伸長に連動して伸長することができる。
【００３２】
なお、ベルト１００の長さや幅、厚みは特に限定されず、ベルト１００の用途やユーザが所望するサイズに応じて適宜決定することが可能である。
【００３３】
また、第１の帯状部１０ａ及び第２の帯状部１０ｂは、表裏の両面に加工又は装飾が施されたものであってもよく、片面のみ加工又は装飾が施されたものであってもよい。また、表裏の両面に同一の加工又は装飾が施されてもよく、それぞれ異なる加工又は装飾が施されたものであってもよい。
【００３４】
また、第１の折り返し部５１及び第２の折り返し部５３も同様に、加工、装飾、形状は特に限定されず、ベルト１００の用途やユーザが所望するサイズに応じて適宜決定することが可能である。本実施形態では第１の折り返し部５１及び第２の折り返し部５３の形状を剣先の形状としたが、これに限定されない。また、型押し加工が施されてもよい。
【００３５】
本実施形態に係るベルト１００によれば、帯状部材１０が人造皮革により構成され、長さ方向で弾性体２０と共に連動して伸長するように構成されている。これにより、長さ方向に伸縮可能で、天然皮革と同等の外観を有しながらも安価でデザイン性や染色性にすぐれたベルトを提供することができる。
【００３６】
また、本実施形態に係るベルト１００によれば、糸３０の縫い方向が長さ方向に対して交差するように構成されているため、ベルト１００が長さ方向に伸長する際には長さ方向と縫い方向の交差角が小さくなるようにすることができる。これにより糸３０により縫い合わせられた箇所全体の長さをベルト１００の伸長に合わせて伸ばすことができ、ベルト１００が伸びた際に糸３０が切断されにくい。
【００３７】
また、本実施形態に係るベルト１００によれば、糸３０が帯状部材１０を弾性体２０に縫い付けて繋ぎとめることにより、帯状部材１０を弾性体２０の長さ方向の伸長に連動して伸長させるため、帯状部材１０と弾性体２０を物理的に掛止することができる。これにより、接着剤による化学的な掛止のみと比較して、ベルト１００の強度を増加させることができる。
【００３８】
以上、本考案の実施形態について説明したが、本考案は上述の実施形態にのみ限定されるものではなく、本考案の要旨を逸脱しない範囲内において種々変更を加え得ることは勿論である。
【００３９】
例えば以上の実施形態では、折り畳まれた帯状部材１０の縁辺部１１の、糸３０による縫い合わせを、ジグザグステッチを用いて構成したが、これに代えて、図５に示すような縫い方を用いてもよい。
【００４０】
図５は異なる実施形態における帯状部の外観構成を示す正面図である。図に例示した縫い方は、かがり縫いの一種である。図中で糸３０は、実線で描かれている。図示のように、この場合でも糸３０の縫い方向には、長さ方向（Ｘ軸方向）に対して平行でなく、交差する方向であるＹ軸方向の成分を持つ。これにより、糸３０により縫い合わされている箇所全体の長さが、長さ方向に伸長する余裕が生じ、ベルト１００が長さ方向に伸長した場合でも糸３０が切断されにくい。
【００４１】
また、以上の実施形態では、帯状部材１０を２本の折り線１２に沿って折り畳む、３つ折りとするものとしたが、これに限定されず１本の折り線１２に沿って折り畳んでもよい。
【符号の説明】
【００４２】
１０…帯状部材
１０ａ…第１の帯状部
１０ｂ…第２の帯状部
１０ｘ…帯状部
１１ａ…（第１の）縁辺部
１１ｂ…（第２の）縁辺部
１２ａ…第１の折り線
１２ｂ…第２の折り線
２０…弾性体
３０…糸
４１…長さ調節用部材
４２…環状部材
５１…第１の折り返し部
５２…第１のボタン
５３…第２の折り返し部
５４…第２のボタン
１００…ベルト
ＡＲ１…第１の方向
ＡＲ２…第２の方向
【図１】
0003224819.tif 000003
【図２】
0003224819.tif 000004
【図３】
0003224819.tif 000005
【図４】
0003224819.tif 000006
【図５】
0003224819.tif 000007